(57)【要約】【課題】エレベータ乗場壁面への据付が容易で、且つ、視野性及びデザイン性に優れたエレベータのホールランタンを得る。【解決手段】エレベータの乗場に設けられ、かごの到着を乗場にいる利用者に報知するエレベータのホールランタンにおいて、乗場の壁面に設けられ、所定の三次元形状に形成されたフィルム状の有機エレクトロルミネッセンス発光素子からなる発光体６と、発光体６を乗場の壁面に固定する固定手段７とを備える。そして、発光体６の形状を、例えば、リボン状や花びら状等に形成する。【選択図】図２
2007326693.tif 000002
【特許請求の範囲】
【請求項１】
エレベータの乗場に設けられ、かごの到着を前記乗場にいる利用者に報知するエレベータのホールランタンにおいて、
前記乗場の壁面に設けられ、所定の三次元形状に形成されたフィルム状の有機エレクトロルミネッセンス素子からなる発光体と、
前記発光体を前記乗場の壁面に固定する固定手段と、
を備えたことを特徴とするエレベータのホールランタン。
【請求項２】
発光体は、発光面全体が乗場の壁面よりも前記乗場側に突出して配置されたことを特徴とする請求項１に記載のエレベータのホールランタン。
【請求項３】
発光体は、少なくとも発光面の一部が曲面状を呈し、乗場全体に直接対向して配置されたことを特徴とする請求項１又は請求項２に記載のエレベータのホールランタン。
【発明の詳細な説明】
【技術分野】
【０００１】
この発明は、エレベータの乗場に設けられたホールランタンに関するものである。
【背景技術】
【０００２】
エレベータのホールランタンは、エレベータの乗場（エレベータホール）にいる利用者に対して、かごの到着や走行方向を報知するためのものであり、並設されたエレベータの各乗場出入口に対応して設けられている。
【０００３】
なお、ホールランタンに関する従来技術として、乗場の壁面に一側に開口するボックスを埋め込むことにより、ボックス内に冷陰極蛍光ランプからなる発光体を設置するとともに、ボックスの開口部に、発光体からの光を乗場に向けて照光させる照光体を設けたものが提案されている（例えば、特許文献１参照）。
【０００４】
また、エレベータのかご内表示装置の従来技術として、発光面が表向きに設けられた面発光素子からなる光源と、この光源の発光面に近接して設けられた透光性樹脂からなる情報表示体とを備えることにより、装置全体を薄型に構成したものも提案されている（例えば、特許文献２参照）。
【０００５】
【特許文献１】特開２００４−１８２４６８号公報
【特許文献２】特開２００６−２１８５３号公報
【発明の開示】
【発明が解決しようとする課題】
【０００６】
特許文献１記載のホールランタンでは、その据付時に、発光体を収容するボックスを乗場の壁面に埋め込む必要があり、はつり作業に時間を要して作業性が悪いという問題があった。また、特許文献１記載の照光体並びに特許文献２記載の光源及び情報表示体は、共に薄型に構成されているため、所定の角度からの視野性が悪化して、乗場にいるエレベータ利用者から表示が見づらくなったり、また、デザイン性が発揮しづらくなったりするといった問題があった。
【０００７】
この発明は、上述のような課題を解決するためになされたもので、その目的は、エレベータ乗場壁面への据付が容易で、且つ、視野性及びデザイン性に優れたエレベータのホールランタンを提供することである。
【課題を解決するための手段】
【０００８】
この発明に係るエレベータのホールランタンは、エレベータの乗場に設けられ、かごの到着を乗場にいる利用者に報知するエレベータのホールランタンにおいて、乗場の壁面に設けられ、所定の三次元形状に形成されたフィルム状の有機エレクトロルミネッセンス発光素子からなる発光体と、発光体を乗場の壁面に固定する固定手段とを備えたものである。
【発明の効果】
【０００９】
この発明は、エレベータの乗場に設けられ、かごの到着を乗場にいる利用者に報知するエレベータのホールランタンにおいて、乗場の壁面に設けられ、所定の三次元形状に形成されたフィルム状の有機エレクトロルミネッセンス発光素子からなる発光体と、発光体を乗場の壁面に固定する固定手段とを備える構成としたことで、エレベータ乗場壁面への据付が容易で、且つ、視野性及びデザイン性に優れたものとすることができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はエレベータ乗場を示す正面図である。図１において、１はエレベータの乗場に立設され、乗場出入口を形成する乗場三方枠、２は乗場三方枠１の昇降路側に設けられ、乗場出入口を開閉する乗場ドア、３ａ及び３ｂは乗場においてかごの呼びを登録するためのボタンであり、３ａはダウン呼びボタンを、３ｂはアップ呼びボタンを示している。なお、以下においては、図１に示すように、２台のエレベータ（左号機及び右号機）が並設された場合について説明する。
【００１２】
４ａ及び４ｂは乗場に設けられ、左号機の到着及び走行方向を乗場にいる利用者に対して報知するホールランタンであり、４ａはアップ呼びに対するかごの到着を、４ｂはダウン呼びに対するかごの到着を報知する。また、５ａ及び５ｂは乗場に設けられ、右号機の到着及び走行方向を乗場にいる利用者に対して報知するホールランタンであり、５ａはアップ呼びに対するかごの到着を、５ｂはダウン呼びに対するかごの到着を報知する。
【００１３】
ここで、エレベータ利用者がダウン呼びボタン３ａを押して、呼び登録が行われた場合には、登録されたダウン方向への呼びに対して、例えば、図示しない制御装置によって左号機が割り当てられるとともに、かごが所定の位置まで接近した際に、乗場にいる利用者に対してかごの到着を報知するためにホールランタン４ｂが点灯される。
【００１４】
また、図２はこの発明の実施の形態１におけるエレベータのホールランタンを示す正面図であり、上記ホールランタン４ａ及び４ｂ並びに５ａ及び５ｂ（以下、「ホールランタン４ａ等」という）の詳細を示したものである。図２において、ホールランタン４ａ等には、乗場三方枠１の側面を含めた乗場の壁面に設けられ、フィルム状の有機エレクトロルミネッセンス素子（以下、「有機ＥＬ素子」という）からなる発光体６と、この発光体６を乗場の壁面に固定する固定手段７とが備えられている。
【００１５】
ここで、上記発光体６は、フィルム状の有機ＥＬ素子が所定の三次元形状に形成されることによって構成される。なお、図２には、一例として、帯状の有機ＥＬ素子がリボン状に形成されたものが示されているが、その他にも、例えば、複数枚の有機ＥＬ素子を使用することによって花びら状や鱗状に組み合わせ、デザイン性に優れた任意の三次元形状に形成することができる。
【００１６】
また、発光体６は、固定手段７に支持されることにより、発光面全体が乗場の壁面よりも乗場側に突出して配置される。そして、発光体６の発光面の一部又は全部が曲面を呈することにより、発光面が乗場全体に対して直接対向して配置される。即ち、エレベータ利用者は、乗場の何処にいても発光体６の発光面を見ることができる。
【００１７】
なお、上記固定手段７は、発光体６を乗場の壁面に固定することができれば、その構成は如何なるものでも構わない。
【００１８】
この発明の実施の形態１によれば、発光体６が、所定の三次元形状に形成されたフィルム状の有機ＥＬ素子によって構成されているため、デザイン性に優れたホールランタン４ａ等を提供することが可能となる。なお、フィルム状の有機ＥＬ素子を使用することによって発光体６の発光面を曲面状に形成することが可能となり、多種多様なデザインに対応することができる。
【００１９】
また、フィルム状の有機ＥＬ素子を使用することによって発光体６を軽量化することができるため、固定手段７を小型化及び簡素化することができ、乗場の壁面のはつり工事を含めた据付性も向上させることができる。なお、固定手段７を小型化することによりさらにデザイン性が向上する。
【００２０】
また、発光体６の発光面全体を乗場の壁面よりも乗場側に突出して配置することにより、乗場にいる利用者からの視野性を向上させることができる。特に、発光体６の発光面を三次元形状（曲面も含む）とすることにより、発光面を乗場全体に直接対向して配置させることができ、デザイン性の向上及び視野性の向上の双方を実現できる。
【００２１】
なお、ホールランタン４ａ等を乗場ドア２の利用者に対向する側面に設置する場合には、乗場ドア２の開閉に影響しないように、発光体６を薄くして、例えば、フィルム状の有機ＥＬ素子を押花状に形成しても良い。かかる構成を採用しても、デザイン性に優れたホールランタン４ａ等を得ることができる。
【図面の簡単な説明】
【００２２】
【図１】エレベータ乗場を示す正面図である。
【図２】この発明の実施の形態１におけるエレベータのホールランタンを示す正面図である。
【符号の説明】
【００２３】
１  乗場三方枠
２  乗場ドア
３ａ  ダウン呼びボタン
３ｂ  アップ呼びボタン
４ａ、４ｂ、５ａ、５ｂ  ホールランタン
６  発光体
７  固定手段
【図１】
2007326693.tif 000003
【図２】
2007326693.tif 000004